(57)【要約】【課題】動物に容易に装着できる保定具を提供すること。【解決手段】うつ伏せまたは仰向けになった動物の胴体に被せられ、内側にガス袋があるカバーと、前記カバーの上方への移動を規制する規制部と、を備え、前記カバーは、前記ガス部にガスを供給されて前記ガス袋が膨らむことにより、前記動物を保定することを特徴とする保定具。【選択図】図３
2020137540.tif 000002
【特許請求の範囲】
【請求項１】
うつ伏せまたは仰向けになった動物の胴体に被せられ、ガス袋を有するカバーと、
前記カバーの上方への移動を規制する規制部と、を備え、
前記カバーは、前記ガス部にガスを供給されて前記ガス袋が膨らむことにより、前記動物を保定することを特徴とする保定具。
【請求項２】
請求項１に記載の保定具において、
前記動物の心拍を検出するための心拍センサと、
検出する前記動物の心拍に基づき、動物の心理状態を判定するコントローラと、
動物の心理状態の判定結果を表示するディスプレイと、
前記ガス袋にガスを供給できるとともに、前記ガス袋からガスを排気でき、前記ガス袋の加圧および減圧のユーザによる操作を受け付ける供給機構と、
を備えることを特徴とする保定具。
【請求項３】
請求項１または２に記載の保定具において、
複数の曲を記憶可能なメモリと、
ユーザから曲の選択を受け付ける入力部と、
スピーカと、
選択された曲を前記スピーカから出力するコントローラと、
を備えることを特徴とする保定具。
【請求項４】
請求項１から３のいずれか一つに記載の保定具において、
前記規制部は、前記動物が載置される診断装置のベッドの延びる第１方向と直交する第２方向の前記カバーの両端に接続し、前記ベッドの下側を通る
ことを特徴とする保定具。
【請求項５】
請求項３または４に記載の保定具において、
前記ガス袋にガスを供給できるとともに、前記ガス袋からガスを排気でき、前記ガス袋の加圧および減圧のユーザによる操作を受け付ける供給機構を備える
ことを特徴とする保定具。
【発明の詳細な説明】
【技術分野】
【０００１】
本発明は、動物に装着する保定具に関し、特に診断装置の使用時に動物に装着する保定具に関する。
【背景技術】
【０００２】
Ｘ線診断装置やＣＴ(Computed Tomography：コンピュータ断層診断装置) 、ＭＲＩ(Magnetic Resonance Imaging：磁気共鳴画像診断装置)等の診断装置を用いた人の診断が普及している。しかし、犬や猫等の動物の医療現場では、以下の問題により、診断装置の普及が進んでいない。
【０００３】
Ｘ線診断装置は、動物の特定部位にＸ線を照射して該部位を撮像するものであり、撮像に数秒かかる。この数秒の間、動物がじっとすることは難しい。また、被曝の観点から、スタッフによって動物の手足を押さえることも難しい。
【０００４】
ＣＴやＭＲＩで動物を撮像する場合、撮像に長時間かかるため、動物に麻酔をかける必要がある。しかし、麻酔にはリスクが伴うため、ＣＴやＭＲＩによる撮像は、あまり行われない。
【０００５】
そこで、診断装置の使用時に動物に装着することで、動物を保定できる保定具が開発されている。特許文献１の保定具は、動物の胴体、前肢、後肢にそれぞれ装着される保定部材を備える。各保定部材は、弾性変形可能な合成樹脂製の板状体によって形成された筒状の部材であり、対応する胴体、前肢、後肢が中に通される。また、保持具は、頭部に装着されるカラー状の保定部材を備える。
【先行技術文献】
【特許文献】
【０００６】
【特許文献１】特開２０１８−１１５４９号公報
【発明の概要】
【発明が解決しようとする課題】
【０００７】
胴体に装着される上記保定部材は、動物のサイズに対する追従性が低く、該保定部材だけでは、動物を十分には保定できない。そのため、上記保定具では、胴体以外の前肢、後肢、頭部にそれぞれ装着される保定部材を備えることで、動物を保定することが可能な構成になっている。
【０００８】
しかし、上記保定具では、胴体以外に、前肢、後肢、頭部にそれぞれ保定部材を装着しなければならず、装着に手間がかかる。
【０００９】
本発明は、動物に容易に装着できる保定具を提供することを目的とする。
【課題を解決するための手段】
【００１０】
本発明の要旨は以下のとおりである。
（１）うつ伏せまたは仰向けになった動物の胴体に被せられ、ガス袋を有するカバーと、
前記カバーの上方への移動を規制する規制部と、を備え、
前記カバーは、前記ガス部にガスを供給されて前記ガス袋が膨らむことにより、前記動物を保定する
ことを特徴とする保定具。
【００１１】
本発明では、カバーを動物に被せ、カバーのガス袋を膨らますことで保定具を動物に装着するので、保定具の動物への装着が容易である。本発明では、動物に被せたカバーのガス袋を膨らますことで動物を保定するので、動物の保定を、優しく、かつ麻酔を使用せずに安全に行うことができる。
【００１２】
（２）（１）に記載の保定具において、
前記動物の心拍を検出するための心拍センサと、
検出する前記動物の心拍に基づき、動物の心理状態を判定するコントローラと、
動物の心理状態の判定結果を表示するディスプレイと、
前記ガス袋にガスを供給できるとともに、前記ガス袋からガスを排気でき、前記ガス袋の加圧および減圧のユーザによる操作を受け付ける供給機構と、
を備えることを特徴とする保定具。
【００１３】
本発明では、ディスプレイに表示される動物の心理状態の判定結果を見ながら、ユーザが供給機構を操作することで、ガス袋のガス圧を動物にとって最適に調整できる。
【００１４】
（３）（１）または（２）に記載の保定具において、
複数の曲を記憶可能なメモリと、
ユーザから曲の選択を受け付ける入力部と、
スピーカと、
選択された曲を前記スピーカから出力するコントローラと、
を備えることを特徴とする保定具。
【００１５】
本発明では、保定具による保定時に、ユーザが予め選択した曲をスピーカから流すことで、動物をリラックスさせることができる。
【００１６】
（４）（１）から（３）のいずれか一つに記載の保定具において、
前記規制部は、前記動物が載置される診断装置のベッドの延びる第１方向と直交する第２方向の前記カバーの両端に接続し、前記ベッドの下側を通る
ことを特徴とする保定具。
【００１７】
本発明では、カバーの上方への移動を規制する規制部が、カバーの両端に接続し、ベッドの下側を通るものであり、規制部として例えばゴム製のバンドを例示できる。本発明では、規制部の構成を簡素にでき、規制部のベッドへの設置も容易である。また、規制部をベッドの下に通すことで設置できるので、保定具を既製品の診断装置に使用可能に構成できる。
【００１８】
（５）（３）または（４）に記載の保定具において、
前記ガス袋にガスを供給できるとともに、前記ガス袋からガスを排気でき、前記ガス袋の加圧および減圧のユーザによる操作を受け付ける供給機構を備える
ことを特徴とする保定具。
【図面の簡単な説明】
【００１９】
【図１】保定具およびＣＴのベッドを示す側面斜視図である。
【図２】保定具およびＣＴの検査部を示す背面図である。
【図３】保定具の空気袋を膨らました様子を示す背面図である。
【図４】保定具のブロック図である。
【発明を実施するための形態】
【００２０】
以下、実施形態について図面を参照しつつ説明する。
図１は、保定具１およびＣＴ９のベッド９１を示す側面斜視図である。
保定具１は、ＣＴ９（診断装置）のベッド９１上にうつ伏せになった動物に装着される。動物として、犬や猫を例示できる。
【００２１】
ベッド９１は、長手状であり、ベッド本体９２と支持部９３とを備える。ベッド本体９２は、スポンジ製であり、上面には、動物が載置される凹状の溝９２１が形成されている。溝９２１は、ベッド９１の長手方向（図１の左右方向）に延びている。支持部９３は、剛性の高い材質で構成され、ベッド本体９２を下方から支持する。
【００２２】
図２は、保定具１およびＣＴ９の検査部９４を示す背面図である。
ＣＴ９は、動物を乗せたベッド９１を、環状の検査部９４内にスライド移動させる。ＣＴ９は、検査部９４にて動物を撮像し、動物の断層画像等を取得する。
【００２３】
保定具１は、カバー１１およびバンド１２（規制部材）を備える。カバー１１は、ベッド９１にうつ伏せになった動物の胴体に被せられる。
【００２４】
図３は、保定具１の空気袋１１２を膨らました様子を示す背面図である。
カバー１１は、外布１１１と、複数の空気袋１１２（ガス袋）とを備える。外布１１１は、ベッド９１の長手方向と直交する幅方向（図３の左右方向）に伸びている。外布１１１は、例えば空気袋１１２の外面（図３中上面）に縫製される。外布１１１は、各空気袋１１２を包みこんでいてもよく、空気袋１１２の内面（図３中下面）を覆っていてもよい。
【００２５】
空気袋１１２は、外布１１１の内側（図３中下側）に設けられている。空気袋１１２は、隣りあう空気袋１１２と互いに連結されているものとするが、連結されていなくてもよい。空気袋１１２は、ベッド９１の長手方向（図１参照）に延びている。空気袋１１２は、空気が供給されることにより膨らむ。前述の図２では、空気袋１１２は、萎んだ状態であるものとし、図示は省略されている。
【００２６】
バンド１２は、ゴム製であり、ベッド９１の幅方向におけるカバー１１の両端に接続し、ベッド９１の下側を通る。バンド１２は、空気袋１１２が膨らんだ際に、カバー１１の上方への移動を規制する。従って、うつ伏せになった動物にカバー１１を被せ、空気袋１１２を膨らませることで、カバー１１とベッド９１との間で動物の胴体を保定できる。
【００２７】
図４は、保定具１のブロック図である。
保定具１は、コントローラ１３、メモリ１４、入力部１５、ディスプレイ１６、心拍センサ１７、供給機構１８、およびスピーカ１９を備える。これらの要素１３〜１９は、カバー１１と別体に設けられる。
【００２８】
供給機構１８は、空気袋１１２に空気を供給し、空気袋１１２を膨らませて空気袋１１２にベッド９１との間で動物を保定させる。供給機構１８は、エアータンク１８１、ポンプ１８２、調整弁１８３、配管１８４を備える。エアータンク１８１は、圧縮空気（圧縮ガス）を貯蔵する。ポンプ１８２は、静音型であり、エアータンク１８１に圧縮空気を送る。
【００２９】
調整弁１８３は、各空気袋１１２と配管１８４を介して接続する。調整弁１８３は、エアータンク１８１から圧縮空気を開放する開放弁、空気袋１１２から空気を排気する排気弁、および空気袋１１２側の空気圧を検出して表示する圧力計を備える。
【００３０】
ユーザは、調整弁１８３を操作し、開放弁を開くことによって空気袋１１２に空気を送る。そして、ユーザは、空気袋１１２を膨らませることによって動物を保定する。
【００３１】
心拍センサ１７は、動物の心拍を検出するためのものである。心拍センサ１７は、動物の皮膚に密着するように設置されるマイクロホンヘッド中のピエゾ素子等で、心拍動に起因する振動を検出してもよい。心拍センサ１７は、心臓付近の皮膚につけた２つの電極の電位差を、心拍の検出値として検出してもよい。
【００３２】
コントローラ１３は、心拍センサ１７による検出値に基づいて、動物の心理状態を例えば快適または不快のいずれかに判定し、判定結果をディスプレイ１６に表示する。
【００３３】
ユーザは、空気袋１１２を加圧した際に、ディスプレイ１６に動物の心理状態が不快と表示された場合、調整弁１８３を操作できる。ユーザは、圧力計を見ながら、排気弁を開いて空気袋１１２を適宜のレベルまで減圧できる。ユーザは、ディスプレイ１６に動物の心理状態が快適と表示されるように調整弁１８３を操作し、空気袋１１２の空気圧を動物にとって最適なように調整できる。
【００３４】
入力部１５は、ボタン等を備え、ユーザの入力を受け付ける。
メモリ１４内には、コントローラ１３に実行されるプログラムの他、動物が好む複数の曲、および後述するユーザによる曲の選択結果が記憶される。
【００３５】
コントローラ１３は、保定具１による動物の保定前に、予め、上記複数の曲からいずれかの曲の選択を、ディスプレイ１６および入力部１５を用いてユーザから受け付ける。ユーザは、カバー１１による動物の保定時に、入力部１５にて曲の出力の指示を受け付けると、ユーザに選択された曲をスピーカ１９から出力する。
【００３６】
以上のようにして、本実施形態では、動物をカバー１１により保定できる。動物の保定後、ユーザにより心拍センサ１７が動物から外される。ベッド９１が検査部９４内へ移動し、ＣＴ９により動物が撮像される。この際、スピーカ１９等の要素１３〜１９は、ベッド９１から離れた位置にあり、撮像画像にノイズを生じさせない。ＣＴ９による撮像が終了し、検査部９４外へベッド９１が移動した後、ユーザにより調整弁１８３が操作され、空気袋１１２が減圧される。ユーザは、バンド１２をベッド９１の下から抜くことで、カバー１１を動物から外すことができる。
【００３７】
（効果）
カバー１１を動物に被せ、バンド１２をベッド９の下に通す簡単な作業で、保定具１の動物への装着が完了する。保定具１は、カバー１１の内側の空気袋１１２を膨らますことで動物を保定するので、動物に痛みを感じさせることなく空気の圧力で動物を優しく保定できる。保定具１は、麻酔を使用せず、動物を安全に保定できる。従って、保定具１は、交通事故等の際における動物のＣＴ撮影を可能とし、動物の治療診断の発展に寄与できる。
【００３８】
保定具１は、カバー１１を動物に被せ、バンド１２をベッド９の下に通すだけで動物に装着できるので、既製品のＣＴ９と共に使用できる。
【００３９】
実施形態では、カバー１１の上方への移動を規制する規制部として、カバー１１の両端に接続し、ベッド９１の下側を通るバンド１２が用いられる。従って、規制部の構成が簡素であり、規制部であるバンド１２のベッド９１への設置も容易である。
【００４０】
心拍センサ１７によって動物の心理状態を判定するので、空気袋１１２の空気圧を動物が快適な心理状態となる最適な空気圧に調整できる。
【００４１】
動物が好む予め選択された曲をスピーカ１９から流すことができるので、保定具１による保定時に動物をリラックスさせることができる。
【００４２】
（変形例）
保定具１は、Ｘ線診断装置やＭＲＩ等の診断装置の使用時等、適宜の場所で動物に装着できる。カバー１１は、仰向けになった動物の胴体に被せられてもよい。
【００４３】
動物の載置面に対するカバー１１の上方への移動を規制する規制部の例として、実施形態ではバンド１１を挙げた。規制部は、ベッド１１の下を通らなくてもよく、例えば動物の腹の下を通ってもよい。規制部は、カバー１１の両端に接続するベルトを備えていてもよい。ベルトの途中にあるバックル同士を接続することにより、カバー１１が動物に装着されてもよい。この場合、ベルトの長さを調整する機構がベルトに設けられていてもよい。また、規制部は、カバー１１の両端に接続する柔軟な紐であってもよい。紐は、途中で分離可能であり、分離している紐を結ぶことで、紐の長さを調整できるとともに、カバー１１が動物に装着されてもよい。
【００４４】
空気袋１１２は、カバー１１の適宜の位置にあってよく、その個数も任意である。カバー１１は、筒状であってもよい。カバー１１にベッド９１および動物を通してもよい。この場合、カバー１１が規制部を兼ねる。
【００４５】
実施形態では、空気袋１１２の加圧・減圧は、手動で調整弁１８３が操作されて行われる例を説明した。しかし、空気袋１１２の加圧・減圧は、コントローラ１３が心拍センサ１７の検出値に基づいて調整弁１８３を駆動して行ってもよい。
【００４６】
ガス袋内に空気以外のガスを送ってもよい。
要素１３〜１９は、ベッド９１内に設けられていてもよい。
配管１８４は、カバー１１の構成要素であってもよく、配管１８４に供給機構１８が接続されるようになっていてもよい。
【符号の説明】
【００４７】
１…保定具、１１…カバー、１２…バンド（規制部）、１３…コントローラ、１４…メモリ、１５…入力部、１７…心拍センサ、１８…供給機構、１９…スピーカ、１１２…空気袋（ガス袋）。
【図１】
2020137540.tif 000003
【図２】
2020137540.tif 000004
【図３】
2020137540.tif 000005
【図４】
2020137540.tif 000006